(57)【要約】【課題】搬送路を通過中の記録媒体がプロセス枠体に接触しても現像剤（トナー）によって記録媒体が汚れることの無いプロセスキットを提供する。【解決手段】ドラムカバー５１には、プロセス枠体３５のうち搬送路５０に面した下面３５ａを清掃するクリーニング部材５２が固定されている。このクリーニング部材５２は、ドラムカバー５１のうち、感光ドラム１の部分１ａを覆う円弧状部分ではなくて平らになった平部分５１ａの上面（搬送路５０に面した部分とは反対側の部分）に固定されている。ドラムカバー５１が第２位置に位置している状態からハンドル４１を反時計方向に回動させてドラムカバー５１を第１位置まで移動させる移動中に、クリーニング部材５２がプロセス枠体３５の下面３５ａを摺動する。この結果、この下面３５ａに累積付着していたトナーがクリーニング部材５２によって除去される。【選択図】      図３
2006084614.tif 000002
【特許請求の範囲】
【請求項１】
静電潜像を像担持体に形成してこの静電潜像を現像することにより現像像を形成し、前記像担持体の近傍に形成された搬送路を通過する記録媒体に前記現像像を転写する画像形成装置における、前記像担持体と、この像担持体のうち前記搬送路に面した部分を保護するドラムカバーとが所定形状のプロセス枠体に組み込まれてなるプロセスキットにおいて、
前記ドラムカバーは、
前記プロセス枠体のうち前記搬送路に面した部分を清掃するクリーニング部材が固定されたものであることを特徴とするプロセスキット。
【請求項２】
前記ドラムカバーは、
前記像担持体のうち前記搬送路に面した部分を覆う第１位置と、この第１位置から離れて退避した第２位置とのいずれかの位置に選択的に位置するものであり、
前記クリーニング部材は、
前記ドラムカバーが前記第１位置から前記第２位置に移動中に、及び、前記第２位置から前記第１位置に移動中に、前記プロセス枠体のうち前記搬送路に面した部分を清掃するものであることを特徴とする請求項１に記載のプロセスキット。
【請求項３】
前記プロセスキットは、前記画像形成装置から自在に着脱されるものであり、
前記プロセスキットが着脱され得る状態のときは、前記ドラムカバーは前記第１位置に位置するものであり、一方、
前記プロセスキットが前記画像形成装置から着脱できない状態のときは、前記ドラムカバーは前記第２位置に位置するものであることを特徴とする請求項２に記載のプロセスキット。
【請求項４】
前記クリーニング部材を収納する収納手段を設けたことを特徴とする請求項１から３までのうちのいずれか一項に記載のプロセスキット。
【請求項５】
前記ドラムカバーが移動したときに、前記クリーニング部材を清掃する清掃手段を設けたことを特徴とする請求項１から４までのうちのいずれか一項に記載のプロセスキット。
【請求項６】
前記ドラムカバーを移動させる移動手段を備え、請求項１から５までのうちのいずれか一項に記載のプロセスキットを備えたことを特徴とする画像形成装置。
【発明の詳細な説明】
【技術分野】
【０００１】
本発明は、静電潜像が形成される像担持体などがプロセス枠体に組み込まれたプロセスキット及びこのプロセスキットが装着される画像形成装置に関する。
【背景技術】
【０００２】
電子写真画像形成プロセスを用いて記録媒体に画像を形成する画像形成装置としては、例えば電子写真複写機、電子写真プリンタ（ＬＥＤプリンタやレーザビームプリンタ等）、電子写真ファクシミリ装置、及び、電子写真ワードプロセッサー等が知られている。このような画像形成装置のなかには、プロセスキットと呼ばれるものが自在に着脱されるように構成されているタイプのものがある。
【０００３】
上記したプロセスキットは、像担持体（以下、感光ドラムという）と、この感光ドラムの周囲に配置されてこの感光ドラムを一様に帯電させる帯電器、感光ドラムに形成された静電潜像を現像する現像器、転写後に感光ドラムに残留したトナーを除去するクリーニング部材、このクリーニング部材が除去した残留トナーを溜め込む溜込容器などが所定形状のプロセス枠体に組み込まれたものである。
【０００４】
また、プロセスキットのなかには、プロセス枠体に現像器を組み込んでいないタイプのものもある。
【０００５】
現像器がプロセス枠体に組み込まれたプロセスキット（前者のプロセスキット）は、現像器がプロセス枠体に組み込まれているので、感光ドラムの外周面のうち露出している面積が狭い。このため、ユーザがプロセスキットを直接に取り扱えるように構成されていることが多い。前者のプロセスキットでは、プロセスキットを画像形成装置から取り外したときに、感光ドラムの露出面を無くすためのカバー（ドラムカバー）が備えられている。このドラムカバーは感光ドラムを保護するものであり、プロセスキットを画像形成装置に装着することによりドラムカバーは所定の位置（静電潜像を記録媒体に転写する際に邪魔にならない位置）に退避するように構成されている（例えば、特許文献１参照。）。
【０００６】
一方、現像器がプロセス枠体に組み込まれていなプロセスキット（後者のプロセスキット）には現像器が無いので、その分、プロセスキットの寿命が長い。しかし、現像器が無い分、感光ドラムの外周面のうち露出している面積が広い。このため、ユーザではなくてサービスマンが扱うようになっているものが多い。また、後者のプロセスキットとしては、紙詰まり（ジャム）を処理するときに感光ドラムを保護するためのカバーが備えられているものが知られている。このカバーについても色々なタイプのものが知られており、例えば、カバーが押されて感光ドラムに当たってもこの感光ドラムが傷付かないような部材を有するタイプや、カバーに飛散物捕集手段を設けているタイプ（例えば、特許文献２参照。）などが知られている。
【特許文献１】特開２００２−３１１６６３号公報
【特許文献２】特公平２−１１１５６号公報
【発明の開示】
【発明が解決しようとする課題】
【０００７】
ところで、近年、画像形成装置の小型化が図られており、画像形成装置の内部では各種の部品・部材が近接して配置されている。このため、記録媒体が搬送される搬送路と上記のプロセス枠体が接近して配置されており、現像像が転写された記録媒体がプロセス枠体に接近しながら搬送されることがある。記録媒体に転写された現像像は未定着のものであって、その一部は目には見えないが浮遊している。この浮遊している現像剤（トナー）がプロセス枠体のうち搬送路に面した部分に付着して累積することがある。
【０００８】
また、搬送路を通過中の記録媒体のうち搬送方向上流側の後端部が跳ね上がって、プロセス枠体のうち搬送路に面した部分に接触することがある。この部分にトナーが付着している場合、記録媒体にトナーが付着して記録媒体が汚されるおそれがある。このような問題を解決するために、プロセス枠体のうち搬送路に面する部分に細いリブ状の部材を形成したり、この部分に、記録媒体が接触することにより回転する拍車を配置したりする技術が知られている。しかし、このような技術では、記録媒体に付着するトナーの量を軽減できるが、トナーの付着を完全には防止できない。
【０００９】
また、特許文献２のようなドラムカバーに飛散物捕集手段を設けているタイプでは、捕集を逃れた浮遊トナーがプロセス枠体に付着してしまうおそれがある。このような場合は、記録媒体の後端側のハネ上がりにより記録媒体を汚してしまう。
【００１０】
本発明は、上記事情に鑑み、搬送路を通過中の記録媒体がプロセス枠体に接触しても現像剤（トナー）によって記録媒体が汚れることの無いプロセスキット及び画像形成装置を提供することを目的とする。
【課題を解決するための手段】
【００１１】
上記目的を達成するための本発明のプロセスキットは、静電潜像を像担持体に形成してこの静電潜像を現像することにより現像像を形成し、前記像担持体の近傍に形成された搬送路を通過する記録媒体に前記現像像を転写する画像形成装置における、前記像担持体と、この像担持体のうち前記搬送路に面した部分を保護するドラムカバーとが所定形状のプロセス枠体に一体的に組み込まれてなるプロセスキットにおいて、
（１）前記ドラムカバーは、前記プロセス枠体のうち前記搬送路に面した部分を清掃するクリーニング部材が固定されたものであることを特徴とするものである。
【００１２】
ここで、
（２）前記ドラムカバーは、
（２−１）前記像担持体のうち前記搬送路に面した部分を覆う第１位置と、
（２−２）この第１位置から離れて退避した第２位置とのいずれかの位置に選択的に位置するものであり、
（３）前記クリーニング部材は、前記ドラムカバーが前記第１位置から前記第２位置に移動中に、及び、前記第２位置から前記第１位置に移動中に、前記プロセス枠体のうち前記搬送路に面した部分を清掃するものであってもよい。
【００１３】
また、
（４）前記プロセスキットは、前記画像形成装置から自在に着脱されるものであり、
（５）前記プロセスキットが着脱され得る状態のときは、前記ドラムカバーは前記第１位置に位置するものであり、一方、
（６）前記プロセスキットが前記画像形成装置から着脱できない状態のときは、前記ドラムカバーは前記第２位置に位置するものであってもよい。
【００１４】
さらに、
（７）前記クリーニング部材を収納する収納手段を設けてもよい。
【００１５】
さらにまた、
（８）前記ドラムカバーが移動したときに、前記クリーニング部材を清掃する清掃手段を設けてもよい。
【００１６】
また、上記目的を達成するための本発明の画像形成装置は、前記ドラムカバーを移動させる移動手段を備え、上記したいずれかのプロセスキットを備えたことを特徴とするものである。
【発明の効果】
【００１７】
本発明のプロセスキットによれば、ドラムカバーに固定されたクリーニング部材が、プロセス枠体のうち搬送路に面した部分を清掃する。従って、この部分に現像剤が付着していてもこの部分はクリーニング部材によって清掃されて現像剤が除去される。この結果、搬送路を通過中の記録媒体がプロセス枠体に接触しても現像剤によって記録媒体が汚れることは無い。
【００１８】
ここで、前記ドラムカバーは、前記像担持体のうち前記搬送路に面した部分を覆う第１位置と、この第１位置から離れて退避した第２位置とのいずれかの位置に選択的に位置するものであり、前記クリーニング部材は、前記ドラムカバーが前記第１位置から前記第２位置に移動中に、及び、前記第２位置から前記第１位置に移動中に、前記プロセス枠体のうち前記搬送路に面した部分を清掃するものである場合は、ドラムカバーが移動中に、プロセス枠体のうち搬送路に面した部分が清掃されるので、使い勝手の良いプロセスキットが得られることとなる。
【００１９】
また、前記プロセスキットは、前記画像形成装置から自在に着脱されるものであり、前記プロセスキットが着脱され得る状態のときは、前記ドラムカバーは前記第１位置に位置するものであり、一方、前記プロセスキットが前記画像形成装置から着脱できない状態のときは、前記ドラムカバーは前記第２位置に位置するものである場合は、プロセスキットを着脱する際にドラムカバーが移動するので、プロセス枠体のうち搬送路に面した部分が清掃されることとなり、いっそう使い勝手の良いプロセスキットが得られる。
【００２０】
さらに、ドラムカバーが第２位置に移動したときに、クリーニング部材を収納する収納手段を設けた場合は、記録媒体の通過する場所にトナーが落下して記録媒体を汚してしまうことを回避できるという効果がある。
【００２１】
さらにまた、ドラムカバーが第２位置に移動したときに、クリーニング部材を清掃する清掃手段を設けた場合は、プロセス枠体の下面にトナーが再付着することが防止され、清掃機能を維持安定させる効果がある。
【００２２】
また、本発明の画像形成装置によれば、搬送路を通過中の記録媒体がプロセス枠体に接触することに起因してこの記録媒体が現像剤によって汚れることを防止できる。
【発明を実施するための最良の形態】
【００２３】
本発明は、静電潜像が形成される像担持体などがプロセス枠体に組み込まれたプロセスキットが装着される画像形成装置に実現された。
【実施例１】
【００２４】
図１を参照して、本発明の画像形成装置の一実施形態を説明する。
【００２５】
図１は、本発明の画像形成装置の一実施形態を示す模式図である。
【００２６】
画像形成装置１００は、装置本体Ａと、この本体Ａの上に配置されてブック原稿の画像面の画像情報を読み取るスキャナ部Ｂと、画像を形成する画像形成部Ｃと、この画像形成部Ｃの下に配置された転写材デッキＤとを備えている。
【００２７】
スキャナ部Ｂは、走査系光源６１、プラテンガラス６２、装置本体Ａに対して開閉自在な原稿圧板６３、第１ミラー６４、第２ミラー６５、第３ミラー６６、レンズ６７、及び受光素子（光電変換素子）６８、及び画像処理部（図示せず）などから構成されている。
【００２８】
走査系光源６１と第１ミラー６４で第１ミラー台が構成されており、第２ミラー６５と第３ミラー６６で第２ミラー台が構成されている。この第１ミラー台と第２ミラー台は走査方向（矢印ａ方向）に走査される。なお、第１ミラー台及び第２ミラー台が移動している状態が点線で示されている。
【００２９】
プラテンガラス６２上に、本や厚紙、カール紙等のブック原稿やシート状原稿の原稿面を下側（プラテンガラス６２側）にして載置し、原稿圧板６３により原稿背面を押圧した静止状態でセットする。この状態で、操作部（図示せず）の読み取り開始キーを押すことにより、走査系光源６１がプラテンガラス６２の下部を矢印ａ方向に走査して原稿の画像面を照らし、その反射光（画像情報）を第１ミラー６４に導く。第１ミラー６４に導かれた原稿の画像情報は第２ミラー６５、第３ミラー６６を経てレンズ６７によって受光素子６８上に投影されて、受光素子６８で画像情報を読み取る。この読み取られた画像情報は画像処理部（図示せず）で処理されて電気信号に変換され、画像形成部Ｃのレーザスキャナ６９に伝送される。
【００３０】
上記した装置本体Ａは、レーザスキャナ６９に画像処理部の処理信号を入力することにより複写機として機能し、また、パーソナルコンピューターの出力信号を入力することによりプリンタとして機能する。さらに、他機のファクシミリ装置からの送信信号を入力したり、画像処理部の処理信号を他機のファクシミリ装置に送信したりすることにより、ファクシミリ装置として機能する。
【００３１】
上記した転写材デッキＤには、記録媒体が収納されるシートカセット２１が着脱自在に装着されている。このシートカセット２１は下段カセット２１ａと上段カセット２１ｂの２個で１つの給送ユニットとして構成されている。
【００３２】
下段カセット２１ａと上段カセット２１ｂに収容されたシート紙（記録媒体の一例である）は、給送回転体となるピックアップローラ２２により給送されて、フィードローラ２３とリタードローラ２４との協働作用によって１枚ずつ分離して給送される。その後、シート紙は搬送ローラ対２５,２６（又は搬送ローラ対２７）によって挟持されながら搬送されてくる。
【００３３】
搬送された記録媒体の位置のばらつきはプレレジストローラ対２８で吸収される。この場合、プレレジストローラ対２８を所定時間だけ停止した状態でこのプレレジストローラ対２８に記録媒体の先端を当接させることにより、記録媒体の位置のばらつきを修正してこの位置を揃える。このようにして位置が揃った記録媒体を、プレレジストローラ対２８が回転して搬送し、更に搬送ローラ対１０によってレジストローラ対１１に導く。このレジストローラ対１１は、画像形成動作に同期するように記録媒体を画像形成部Ｃに搬送する。
【００３４】
画像形成部Ｃは、感光ドラム１（本発明にいう像担持体の一例である）、画像書き込み光学系２、現像器３、及び転写器４の転写ローラ６などから構成されている。感光ドラム１の外周面は一次帯電器５によって一様に帯電される。感光ドラム１の帯電された外周面には、レーザスキャナ６９から射出されたレーザ光が照射される。このレーザ光は画像情報を担持しており、このレーザ光が画像書き込み系２により走査されることにより、感光ドラム１の外周面に静電潜像が形成される。この静電潜像に現像器３からトナーが供給されることによりトナー画像（現像像）が形成される。一方、上述したようにレジストローラ対１１により感光ドラム１の回転に同期して記録媒体が搬送される。この記録媒体の第１面（上面）には現像像が転写ローラ６によって転写される。
【００３５】
画像形成部Ｃのうち搬送方向下流側には、記録媒体をガイドする搬送リブ１９、定着器７、排出ローラ対１２が配置されている。トナー画像が転写された記録媒体は、感光ドラム１と転写ローラ６とで形成される転写部Ｅから搬送リブ１９に案内されて定着器７に搬送される。この定着器７では、加熱されながら加圧されてトナー画像が記録媒体に定着される。
【００３６】
トナー画像が定着された記録媒体は排出方向へ導かれて排出ローラ対１２によって排紙トレイ１３（画像形成部Ｃの上部）に積載される。この排紙トレイ１３は、上面カバーとしての機能をもつ。なお、記録媒体は、画像形成面を下面にして排紙トレイ１３上に排紙される（フェイダウン排紙される）。
【００３７】
また、記録媒体の両面に画像を記録する場合には、記録媒体が定着器７を通過した後、この記録媒体が排出ローラ対１４，１２によって排紙方向に搬送される。このように搬送中の記録媒体の後端がフラッパー１５を通過した直後に、排出ローラ対１４，１２が記録媒体を挟持したまま逆回転して記録媒体を反転させる（排出方向とは反対方向に搬送する）。続いて、この記録媒体が記録媒体両面トレイ１６上に一旦載置された後、この記録媒体は各ローラ対によって搬送されて、レジストローラ対１１に到達する。その後、この記録媒体は第２面に、上述と同様にして画像が形成されて、排紙トレイ１３に排出されて積載されるように構成されている。
【００３８】
なお、レジストローラ対１１よりも搬送方向上流側には、記録媒体を検知するレジ前センサーレバー１７が配置されている。搬送されてきた記録媒体によってレジ前センサーレバー１７が回動し、これによりセンサ１８が記録媒体を検知したことを画像形成装置本体のＣＰＵに伝達する。
【００３９】
図２と図３を参照して、プロセスキットとその周辺に配置された部材について説明する。
【００４０】
図２は、プロセスキットとその周辺に配置された部材を模式的に示す説明図である。図３は、プロセスキットを模式的に示す説明図である。
【００４１】
プロセスキット３１は、感光ドラム１、この感光ドラム１に残留している残留トナーをかきとるクリーナ部材３２、クリーナ部材３２がかきとった残留トナーをプロセスキット３１から送り出すスクリュー３３、感光ドラム１を一様に帯電させる帯電ローラ５、及び、これらが組み込まれたプロセス枠体３５から構成されている。このプロセス枠体３５は、上記した感光ドラム１などがコンパクトに組み込まれるような形状である。また、プロセスキット３１の横には、感光ドラム１の静電潜像に現像剤を供給してトナー像（現像像）を形成する現像器３が配置されている。
【００４２】
画像形成装置１００には、プロセスキット３１を着脱させるために操作するハンドル４１が備えられている。図２の紙面における反時計方向（矢印ｂ方向）にハンドル４１を回動させることにより、このハンドル４１に連動するカム４２とこれに当接している加圧バネ４３が回動する。この回動に伴って、転写ローラ６、レジストローラ対１１、搬送リブ１９などを保持した搬送部４４が自重で支点４５を中心に回動して転写ローラ６が感光ドラム１から退避する（離れる）。さらに、現像加圧カム４６を解除することにより現像器３が矢印ｃ方向に移動して感光ドラム１から離れる。このような状態のときにプロセスキット３１が画像形成装置１００から取り出せる。この状態が、本発明にいうプロセスキット３１が着脱され得る状態である。
【００４３】
また、プロセスキット３１には、感光ドラム１を保護するドラムカバー５１が備えられている。このドラムカバー５１は、図３の実線で示すように、感光ドラム１のうち搬送路５０に面した部分１ａを覆う第１位置に位置するように常に付勢されている。このため、図２に示すようにハンドル４１を反時計方向に回動させることにより、ドラムカバー５１が感光ドラム１の部分１ａを覆う第１位置に移動する。即ち、プロセスキット３１を画像形成装置１００から取り外せる状態のときは、ドラムカバー５１が感光ドラム１の部分１ａを覆う第１位置に位置している。なお、ドラムカバー５１を上記のように移動させる移動手段は、公知の移動手段（例えば、上記した特許文献１参照）を用いる。
【００４４】
一方、ハンドル４１を逆向き（図２の紙面における時計方向であり、矢印ｂ方向とは反対方向）に回動させることにより、ドラムカバー５１は感光ドラム１から離れた第２位置（図３の二点鎖線で示す位置）に移動して退避すると共に転写ローラ６が感光ドラム１に当接する。また、画像形成装置１００が稼動しているときは、ドラムカバー５１が感光ドラム１から退避する第２位置に保持されるように構成されている。ドラムカバー５１が感光ドラム１から退避する第２位置に位置している状態は、プロセスキット３１が画像形成装置１００から着脱できない状態である。
【００４５】
画像形成装置１００の内部で記録媒体が滞ってしまい紙詰まり（ジャム）を起こした場合、上述したように、ハンドル４１を反時計方向に回動させる。この回動により、転写ローラ６などを備えた搬送部４４を、支点４５を回動中心として感光ドラム１から退避させる。これにより、滞った記録媒体を除去できるスペース４７が確保されると共に、感光ドラム１を傷付けないようにドラムカバー５１が感光ドラム１の部分１ａを覆う第１位置に移動するように構成されている。このように移動する構成は、上記した特許文献１に記載されているように周知のものである。
【００４６】
ドラムカバー５１には、プロセス枠体３５のうち搬送路５０に面した下面３５ａを清掃するクリーニング部材５２が固定されている。このクリーニング部材５２は、ドラムカバー５１のうち、感光ドラム１の部分１ａを覆う円弧状部分ではなくて平らになった平部分５１ａの上面（搬送路５０に面した部分とは反対側の部分）に固定されている。図３の二点鎖線で示すようにドラムカバー５１が第２位置に退避している状態では、トナーの飛散や記録媒体上の未定着トナーの浮遊によるドラムカバー５１への付着はない。
【００４７】
ドラムカバー５１が第２位置に位置している状態からハンドル４１を反時計方向に回動させてドラムカバー５１を第１位置まで移動させる移動中に、ドラムカバー５１は図３の矢印ｄ方向に移動し、クリーニング部材５２がプロセス枠体３５の下面３５ａを移動しながら圧接する。また、この逆の操作をすることで往復動作となり、この結果、プロセス枠体３５の下面３５ａに累積付着していたトナーがクリーニング部材５２によって掻き取られるので、安定した清掃が可能になる。
【００４８】
クリーニング部材５２は一体のものであり、その内部では小さい穴がつながっている（連通している）弾力性をもつスポンジ状の部材であり、且つ、プロセス枠体３５の下面３５ａに接触する接触部は山形になっている。この山形は、矢印ｄ方向のような円を描いて当接してくるので、山のピッチを狭くすることで同じ場所を複数回接触させることが可能となり、谷の部分にトナーを溜め込むことができる。このドラムカバー５１の開閉動作もあいまって、プロセス枠体３５の下面３５ａに付着しているトナーの除去効果を高めている。
【００４９】
図４を参照して、クリーニング部材の他の例を説明する。
【００５０】
図４は、クリーニング部材の他の例を模式的に示す説明図である。
【００５１】
クリーニング部材７０は、ドラムカバー５１に直接に接触して固定されたＰＥＴ材などの弾力性をもつ部材（弾力部材）７２と、この弾力部材７２の上面に固定されたフェルト材などの不織布７４とからなる。不織布７４がプロセス枠体３５の下面３５ａを摺動する。このようなクリーニング部材７０を使用しても、上記の開閉動作で同様な清掃効果がある。
【００５２】
図５を参照して、その下面に細いリブ状の部材５６が形成されているプロセス枠体３５からトナーを除去する例について説明する。
【００５３】
図５は、下面に細いリブ状の部材が形成されているプロセス枠体からトナーを除去するためのクリーニング部材を模式的に示す説明図である。この図では、図３に示す構成要素と同一の構成要素には同一の符号が付されている。
【００５４】
プロセス枠体３５の下面３５ａには、搬送路５０に向けて突出した細いリブ状部材５６が形成されている。一方、プロセス枠体５１には、拍車５７からトナーを除去するクリーニング部材として弾性のあるスポンジ状部材８０が固定されている。このスポンジ状部材８０は、細いリブ状部材５６を摺動する位置だけに固定されている。しかし、細いリブ状部材５６を摺動する位置だけでなく、感光ドラム１の軸方向（図５の紙面に垂直な方向）全域にスポンジ状部材８０を固定してもよい。このようにスポンジ状部材８０を固定することにより、リブ状部材５６だけでなくプロセス枠体３５の下面全域に付着したトナーを除去できることとなり、しかも、記録媒体の搬送方向後端部が跳ね上がっても、この跳ね上がった部分はリブ状部材５６に接触するので記録媒体が汚れてしまうようなことを防止できる。
【００５５】
図６を参照して、その下面に拍車５７が配置されているプロセス枠体３５からトナーを除去する例について説明する。
【００５６】
図６は、下面に拍車が形成されているプロセス枠体からトナーを除去するためのクリーニング部材を模式的に示す説明図である。この図では、図３に示す構成要素と同一の構成要素には同一の符号が付されている。
【００５７】
プロセス枠体３５の下面３５ａには、自在に回転する拍車５７が配置されている。一方、プロセス枠体５１には、リブ状部材５６からトナーを除去するクリーニング部材として弾性のあるスポンジ状部材９０が固定されている。このスポンジ状部材９０は、拍車５７を摺動する位置だけに固定されている。しかし、拍車５７を摺動する位置だけでなく、感光ドラム１の軸方向（図５の紙面に垂直な方向）全域にスポンジ状部材９０を固定してもよい。このようにスポンジ状部材９０を固定することにより、拍車５７だけでなくプロセス枠体３５の下面全域に付着したトナーを除去できることとなり、しかも、記録媒体の搬送方向後端部が跳ね上がっても、この跳ね上がった部分は拍車５７に接触するので記録媒体が汚れてしまうようなことを防止できる。
【００５８】
図７を参照して、清掃部材を収納する収納部７５が形成されたプロセス枠体８５を説明する。
【００５９】
図７は、収納部を備えたプロセスキットを模式的に示す説明図である。この図では、図３に示す構成要素と同一の構成要素には同一の符号が付されている。
【００６０】
図７に示すようにドラムカバー５１が感光ドラム１から退避しているときに、クリーニング部材５２を収納する収納部７５をプロセス枠体８５に形成する。これにより清掃した付着物が装置の稼動時の振動などによって、記録媒体の通過する場所に飛散したり落下したりして記録媒体を汚してしまうことが回避できるという効果がある。
【００６１】
図８を参照して、上記したプロセス枠体８５の収納部７５に掻き取り部材を取り付けたものについて説明する。
【００６２】
図８は、掻き取り部材を備えたプロセスキットを模式的に示す説明図である。この図では、図７に示す構成要素と同一の構成要素には同一の符号が付されている。
【００６３】
プロセス枠体９５の収納部７５には、ブラシ状の掻き取り部材７６が設けられている。この掻き取り部材７６は、クリーニング部材５２を収納する時にクリーニング部材５２を清掃し、プロセス枠体９５の下面３５ａにトナーが再付着することを防止し、清掃機能を維持する効果が得られる。
【００６４】
図９を参照して、風路が形成されたプロセス枠体１０５について説明する。
【００６５】
図９は、風路が形成されたプロセス枠体を模式的に示す説明図である。この図では、図７に示す構成要素と同一の構成要素には同一の符号が付されている。
【００６６】
収納部７５は定着器（図示せず）と近接しているので温度が上がって、収納部７５内のトナーが固まり易い。このトナーが固まらないように収納部７５の温度上昇を抑えるための風路（矢印ｅで示す）がプロセス枠体１０５に形成されている。装置内部の空気を矢印ｅ方向に導いて装置の外へ導くファン（図示せず）があり、プロセス枠体１０５に微小空間７７を設けることにより、収納部７５内の空気を矢印ｅ方向に吸引する吸引作用が働く。この吸引作用によってクリーニング部材５２の付着物が吸引され、上記と同様の効果が得られる。なお、吸引した付着物を装置の外へ出さないようなフィルター（図示せず）がファンの手前に設けられている。
【００６７】
プロセス枠体３５の下面３５ａに付着したトナーを上記のクリーニング部材で除去するタイミングについて説明する。
【００６８】
上記した搬送路５０を記録媒体が何万枚か（実際には２〜３万枚程度）通過することによって、プロセス枠体３５の下面３５ａにはトナーが累積的に付着する。搬送路５０を記録媒体が何万枚か通過する間には紙詰まり（ジャム）が起こる可能性があり、また、メンテナンスなども必要になる。このような場合、上述したようにプロセスキット３１を画像形成装置１００から着脱する。この着脱の際に、上述したように、プロセス枠体３５の下面３５ａに付着しているトナーがクリーニング部材によって除去される。
【００６９】
以上説明したように、プロセスキット３１によれば、ドラムカバー５１に固定されたクリーニング部材５２等が、プロセス枠体３５等のうち搬送路に面した部分を清掃する。従って、この部分に現像剤が付着していてもこの部分はクリーニング部材５２等によって清掃されて現像剤が除去される。この結果、搬送路５０を通過中の記録媒体がプロセス枠体３５等に接触しても現像剤によって記録媒体が汚れることは無い。
【図面の簡単な説明】
【００７０】
【図１】本発明の画像形成装置の一実施形態を示す模式図である。
【図２】プロセスキットとその周辺に配置された部材を模式的に示す説明図である。
【図３】プロセスキットを模式的に示す説明図である。
【図４】クリーニング部材の他の例を模式的に示す説明図である。
【図５】下面に細いリブ状の部材が形成されているプロセス枠体からトナーを除去するためのクリーニング部材を模式的に示す説明図である。
【図６】下面に拍車が形成されているプロセス枠体からトナーを除去するためのクリーニング部材を模式的に示す説明図である。
【図７】収納部を備えたプロセスキットを模式的に示す説明図である。
【図８】掻き取り部材を備えたプロセスキットを模式的に示す説明図である。
【図９】風路が形成されたプロセス枠体を模式的に示す説明図である。
【符号の説明】
【００７１】
１  感光ドラム
３１  プロセスキット
３５，８５，９５，１０５  プロセス枠体
５０  搬送路
５１  ドラムカバー
５２，７０  クリーニング部材
５６  リブ状部材
５７  拍車
７６  掻き取り部材
８０，９０  スポンジ状部材
１００  画像形成装置
【図１】
2006084614.tif 000003
【図２】
2006084614.tif 000004
【図３】
2006084614.tif 000005
【図４】
2006084614.tif 000006
【図５】
2006084614.tif 000007
【図６】
2006084614.tif 000008
【図７】
2006084614.tif 000009
【図８】
2006084614.tif 000010
【図９】
2006084614.tif 000011